(57)【要約】      （修正有）【課題】形状や大きさにより、防犯が困難なものにも、防犯対策ができるようにする。また、移動して使用できる防犯器具とする。さらに、形状やデザインを自由に設計できる防犯器具とする。【解決手段】防犯器具のセンサーを網状にして、自由に拡大できる構造とし、軽量化することで、移動や拡大を可能にする。また、センサー機能を失わせることができない構造とし、侵入に対する完全なセンサーを有する防犯器具とする。網状にすることで、デザインの要求に応えられるようにする。【選択図】図１
2004355595.tif 000002
【特許請求の範囲】
【請求項１】
ロープの中に１００オーム以上のインピーダンスの電線の入ったセンサー部分と、その電線に変化する電流を流し、インピーダンスの変化を常時、計測し、ロープの異状を出力する機能をもつ装置からできていて、ロープを防犯対策のセンサーとして使用するものである。
【請求項２】
ロープ状のセンサーを網状にして、そのネットの異状を出力する装置をその網状センサーの内側に外部から影響を受けないで設置しておくことを可能にした防犯器具であり、容易に移動して使用することができ、さらに、防犯対策を必要とするものの形や大きさに影響されないという特長をもつものである。
【発明の詳細な説明】
【０００１】
【発明が属する技術分野】
本発明は、容易に移動して使用することが可能で、防犯するものの形状や大きさに関係なく、使用でき、拡張やデザインが自由に設計できる防犯器具である。
【０００２】
【従来の技術】
従来の防犯器具は、侵入の状況を音や振動など一部の情報により判定していたため、防犯対象物への侵入に対し、完全に防犯することができなかった。
【０００３】
また、外部で使用する器具は防犯対象物の形状や大きさによっては、完全な侵入対策は困難であった。
【０００４】
さらに、一部の情報により警報を発するという構造のため、形状的なデザインについての要求には応えられなかった。
【０００５】
【発明が解決しようとする課題】
いかなる侵入に対しても、反応することができるセンサーおよび確実な警報の発信、さらに、デザイン的な要望にも応えるというものである。
【０００６】
【課題を解決するための手段】
本発明は、侵入センサーを網状にすることで、そのセンサーを破壊しなければ侵入できないという構造とすることで、侵入に対して確実に警報を発するようにしたものである。この網状形状により移動して容易に設置することができ、さらに、デザインを自由に設計することが可能になるという特徴がある。
【０００７】
【発明実施の形態】
侵入に対して確実に反応するようになった。また、移動して設置することが容易になり、デザインも自由設計ができるようになった。外部へは、携帯電話で異常警報の送信が可能になった。
【０００８】
【実施例】
図１は、防犯器具の構成図である。センサー最終接続部で次の網状のセンサーに接続し拡大できる構造になっている。異状は外部へ携帯電話で送信できる。網状センサーに流す電流を変化させておけば、網状のセンサーを破壊しダミーのインピーダンスを接続することができなくなる。
警報出力装置はセンサーへ電流を流し、センサーのインピーダンスを常時、測定し警報を出力する機能をもつ。
【０００９】
図２は、網状センサーの一例である。ロープ状センサーで網状センサーを縛りセットする。
【００１０】
屋外の車を網状センサーで覆い、内部にセンサーの異状を検出し通報する警報出力装置を配備しておくことで、盗難対策となる。
【００１１】
門や塀に網状のセンサーを設置することで、防犯対策ができる。
【００１２】
破壊し侵入してくる可能性のある場所を、網状センサーで覆い、破壊前に侵入対策が可能になる。
【００１３】
網状センサーと網状センサーを接続することで、どのような大きさのものにも対応できる。
【００１４】
セットと解除は電話回線でできるようになっている。（電話回線で外部へ送信しない場合はタイマー等でセットする）
【００１５】
【発明の効果】
大きさや形状により、防犯に手数がかかるものでも、容易に防犯対策が可能になる。また、ネット構造のため、デザインを変えることで、周囲との違和感を緩和することができる。また、移動ができるので、緊急用に効果的である。
【図面の簡単な説明】
【図１】網状センサーと網状のセンサーに電流を流しセンサーの異状を外部へ知らせる装置の構成である。
【図２】網状センサーの設計例である。
【図３】図３は、ロープ状センサーの断面図である。電線は１本以上とし、中心部分の耐張力を増加させる線は鋼線または耐張力のある線とする。
電線２本使用している図である。
【図４】図４は、接続の配線図である。
【符号の説明】
【図１】
１    警報出力装置のサイレン
２    警報灯（光で警報を表示する）
３    携帯電話（屋外で使用する場合）
４    警報出力装置（センサー部分に電流を流し、センサーのインピーダン
スの変化で警報を出力する。
５    ロープ状センサー（センサーと出力装置をつなぐ）
６    網状センサー（ネット状のため軽量だが、くぐりぬけが困難）
７    ８の網状センサーを縛り、セット後に接続する。
８    ロープ状センサー（ネットのセット用）
【図２】
１    引っかけて取り付ける部分
２    ロープ状センサーで警報出力装置への接続される部分
３    ロープ状センサーで網状になっている部分
４    ロープ状センサーで網状のセンサーを固定しセットする部分
５    網状のセンサーをセット後接続する部分
６    網状のセンサーをセット後接続する部分
【図３】
１    電線
２    電線
３    耐張力を増すための線
４    ロープの外被覆
５    センサーと耐張力を増す線を覆う膜
６    ロープ状ケーブルを覆う膜
【図４】
１    ネット状のセンサー部分
２    ネット状のセンサーと警報器装置を接続するロープ状センサー部分
３    ネット状のセンサー部分と警報器装置を接続するロープ状センサー部
分の接続部
４    警報器装置とネット状のセンサー部分を接続するロープ状センサー部分の接続部
５    警報装置
６    サイレン
７    警報灯
８    携帯電話（警報を外部へ送る装置）
【図１】
2004355595.tif 000003
【図２】
2004355595.tif 000004
【図３】
2004355595.tif 000005
【図４】
2004355595.tif 000006
【手続補正書】
【提出日】平成15年6月17日(2003.6.17)
【手続補正１】
【補正対象書類名】明細書
【補正対象項目名】特許請求の範囲
【補正方法】変更
【補正の内容】
【特許請求の範囲】
【請求項１】
ロープの中に電線の入ったセンサー部分と、その電線に電流を流し、インピーダンスの変化を常時、計測し、ロープの異状を出力する機能をもつ装置からできていて、ロープを防犯対策のセンサーとして使用するものである。
【請求項２】
ロープの中に電線の入ったセンサー部分と、その電線に変化する電流を流し、インピーダンスの変化を常時、計測し、ロープの異状を出力する機能をもつ装置からできていて、ロープを防犯対策のセンサーとして使用するものである。
【請求項３】
ロープ状のセンサーを網状にして、そのネットの異状を出力する装置をその網状センサーの内側に外部から影響を受けないで設置しておくことを可能にした防犯器具であり、容易に移動して使用することができ、さらに、防犯対策を必要とするものの形や大きさに影響されないという特長をもつものである。
【手続補正２】
【補正対象書類名】明細書
【補正対象項目名】００１６
【補正方法】変更
【補正の内容】
【００１６】
図２の５と６の間に流す電流を変化させておくことで、網状のセンサーを破壊することや、無理にセンサーのインピーダンスに相当するダミーのインピーダンスを挿入しようとすることに対して、防止対策となる。センサーに流れる電流はそのセンサー部分のインピーダンスを知ろうとするときの情報となるため、この電流を一定としないようにできる機能を警報装置はもっている。
また、センサーに流す電流が一定の警報装置は、防犯対策が比較的容易なときに使用するものである。


【手続補正３】
【補正対象書類名】明細書
【補正対象項目名】００２０
【補正方法】変更
【補正の内容】
【００２０】
図５はロープ状のセンサーで電線が２本の断面図である。外側にはロープの繊維状の線がある。内側に電線の引張りに対する強度を増す線が入っている。




【手続補正書】
【提出日】平成15年6月23日(2003.6.23)
【手続補正１】
【補正対象書類名】明細書
【補正対象項目名】全文
【補正方法】変更
【補正の内容】
【特許請求の範囲】
【請求項１】ロープの中に電線の入ったセンサー部分と、その電線に電流を流し、インピーダンスの変化を常時、計測し、ロープの異状を出力する機能をもつ装置からできていて、ロープ全体を防犯対策のセンサーとして使用するという特徴をもつものである。
【請求項２】ロープの中に電線の入ったセンサー部分と、その電線に変化する電流を流し、インピーダンスの変化を常時、計測し、ロープの異状を出力する機能をもつ装置からできていて、ロープ全体を防犯対策のセンサーとして使用するという特徴をもつものである。
【請求項３】ロープ状のセンサーを網状にして、そのネットの異常を、出力する装置をその網状センサーの内側に外部から影響を受けないで設置しておくことを可能にした防犯器具であり、容易に移動して使用することができ、さらに、防犯対策を必要とするものの形や大きさに影響されないという特徴をもつのである。
【発明の詳細な説明】
【０００１】
【発明が属する技術分野】
本発明は、容易に移動して使用して使用することが可能で、防犯するものの形状や大きさに関係なく、使用でき、拡張やデザインが自由に設計できる防犯器具である。
【０００２】
【従来の技術】
従来の防犯器具には、侵入の状況を音や振動など一部の情報で異状を判定するタイプのものがある。これらでは、防犯対象物への侵入に対し、完全に防犯することができなかった。
【０００３】
また、外部で使用する器具は防犯対象の形状や大きさによっては、完全な侵入対策は困難であった。
【０００４】
さらに、一部の情報により警報を発するという構造のため、形状的なデザインについての要求には応えられなかった。
【０００５】
【発明が解決しようとする課題】
いかなる侵入に対しても、反応することができるセンサーおよび確実な警報の発信、さらに、デザイン的な要望にも応えるというものである。
【０００６】
【課題を解決するための手段】
本発明は、侵入センサーを網状にすることで、そのセンサーを破壊しなければ侵入できないという構造とすることで、侵入に対して確実に警報を発するようにしたものである。
この網状形状により移動して容易に設置することができ、さらに、デザインを自由に設計することが可能になるという特徴がある。
【０００７】
【発明実施の形態】
センサーが侵入に対して確実に反応するようにした。また、網状化する事で軽量化でき、移動して設置することを容易にした。さらに、デザインも自由な設計ができることで軽量化した。外部へは、携帯電話または電話などの通報器具でセンサー反応時の警報の送信を可能にした。
【０００８】
【実施例】
屋外の車に取付けることで、盗難対策になる。車をセンサーで覆い、内部にセンサーの異状を検出し、通報する警報出力装置を設置しておくことで、確実な盗難対策を可能にした。
【０００９】
外部から侵入する可能性のある場所に設置することで、確実な防犯対策になるようにした。門や塀に網状センサーを設置することで、確実な防犯対策ができるようにした。形状やデザインにも配慮できるようにした。
【００１０】
建物の開口部に設置することで、確実な防犯対策となるようにした。破壊し侵入してくる可能性のある場所を、網状センサーで覆うことで、破壊前に警報がでるようにし、確実な侵入対策を可能にした。
【発明の効果】
大きさや形状により、防犯に手数がかかるものでも、容易に防犯対策ができるようにした。また、ネット構造のため、デザインを変えることで、周囲との違和感を緩和することができるようにした。また、簡単に移動できることで、緊急用に使用できるようにした。
【図面の簡単な説明】
【図１】防犯器具の構成図である。１１はロープ状センサー部分で、１２は網状のセ    ンサー部分である。１１のロープ状センサーは網状のセンサー部分の固定に使用でき    る。１３と１４はセンサーとセンサーの接続部分である。センサーを固定した後接続    する。１５はセンサーに電流を流し、センサーの異常を出力できる警報装置である。
警報装置は１６の通報装置により、制御できる。１６は通報装置である。１６の通報    装置は、１５の警報装置の出力により、外部へセンサーの異常の有無を知らせること    ができる固定電話、携帯電話等の通報器具である。１７は警報器である。１５の警報    装置の出力により、音で警報を出す器具である。１８は警報灯である。１５の警報装    置の出力により、光で警報を知らせる器具である。
【図２】センサーの電線の配線図である。センサーの電線の数が２本の例である。２    １は網状センサーとなる部分である。２２はロープ状センサーとなる部分である。２    ３と２４はセンサーの接続部である。２５と２６の間に電流を流し、センサーのイン    ピーダンスの変化もしくは、電線の短絡又は切断などの異常を電流の変化により検出    し、警報装置で出力する。センサーである電線のインピーダンスの回路を変えること    により、センサーの感度である破壊等に対する検出能力を高めることができる。
【図３】拡張用のセンサーの電線の配線図である。センサーの電線の数が２本の例で    ある。３１は網状センサーとなる部分である。図３の３３と図２の２３を接続し図２    の２４と図３の３４を接続することで拡張できる。図２の２３と２４の間に、図３の    センサー数を増やすことでセンサーの面積を増加することができる。このため、どの    ような大きさや形状にも対応ができる。拡張ができるため、破壊し侵入してくる可能    性のある場所を、網状センサーで完全に覆うことで、破壊前に侵入対策が可能になる    。センサーとなる電線の数を増やすことで、センサーの破壊または変形に対し、より    高感度となる。電線の心線は絶縁物で覆われている。心線の外側は心線の内側より導    電性の低い材質でできていて、センサーである電線の心線と心線を短絡させたとき、
電線のインピーダンスの変化の検出を容易にしたものである。心線が多構造の場合は    、心線と心線の短絡は単線の場合よりは困難となり、インピーダンスの変化の検出精    度が高くなる。図２の２５と２６の間に流す電流を変化させておくことで、網状のセ    ンサーを破壊することや、無理にセンサーのインピーダンスに相当するダミーのイン    ピーダンスを挿入しようとすることに対して、防止対策となる。センサーに流れる電    流はそのセンサー部分のインピーダンスを知ろうとするときの情報となるため、この    電流を一定としないようにできる機能を警報装置はもっている。また、センサーに流    す電流が一定の警報装置は、防犯対策が比較的容易なときに使用するものである。セ    ンサーのインピーダンスを計測するための電流は情報を有するパルス状の電流を流す    ことができる。電流は交流又は直流でセンサーとなる電線の形状により決定する。
【図４】網状センサーの形状の設計例である。ロープ状センサーは網状センサーを縛    り、固定に使用する構造になっている。固定のために４１の引っ掛ける部分を付けた    ものである。４２は警報装置につながっている部分である。４３はネット状センサー    部分である。４４はロープ状センサー部分。４５と４６はセンサーの接続部である。
形状はサッカーのネット状とした例である。ネット状のため、使用する場所にあわせ    た形状をデザインすることができる。このことで、違和感を緩和させることができる    ようになっている。セットと解除は警報器具でもできる。網状であるため、軽量化で    きる。さらに、拡張ができる構造の貯め、小型化できる。
【図５】ロープ状のセンサーで電線が２本の断面図である。外側にはロープの繊維状    の線がある。内側に電線と引っ張りに対する強度を増す線が入っている。
【図６】ロープ状のセンサーで電線が２本の断面図である。電線の外側に電線を保護    し、概観がロープ状になるように成型されたものでセンサーである電線部分が覆われ    ている。
【符号の説明】
１１  ロープ状センサー部分
１２  網状センサー
１３  センサーとセンサーを接続する部分
１４  センサーとセンサーを接続する部分
１５  警報装置
１６  通報装置
１７  警報器
１８  警報灯
２１  網状のセンサーとなる部分
２２  ロープ状センサーとなる部分
２３  センサーとセンサーを接続する部分
２４  センサーとセンサーを接続する部分
２５  センサーとセンサーの末端部分
２６  センサーとセンサーの末端部分
２７  警報装置
２８  警報器
２９  警報灯
２１０  通報装置
３１  網状センサーとなる部分
３２  ロープ状センサーとなる部分
３３  センサーとセンサーの接続部分
３４  センサーとセンサーの接続部分
４１  センサーの固定に使用し外部に引っ掛けるところ
４２  ロープ状センサーとなる部分
４３  網状のセンサーとなる部分
４４  ロープ状センサーとなる部分
４５  センサーとセンサーの接続部分
４６  センサーとセンサーの接続部分
４７  警報装置へつながっている部分
５１  全体を覆う部分
５２  ロープ機能をもつ部分
５３  センサーとなる電線
５４  センサーとなる電線
５５  ロープ強度を増すための線
５６  センサーと強度を増すための線を覆うもの
６１  センサーとなる電線
６２  センサーとなる電線
６３  ロープの強度を増すための線
６４  センサーとなる電線と補強のための線を覆いロープ状の形状をなすもの


【手続補正２】
【補正対象書類名】図面
【補正対象項目名】全図
【補正方法】変更
【補正の内容】
【図１】
2004355595.tif 000007
【図２】
2004355595.tif 000008
【図３】
2004355595.tif 000009
【図４】
2004355595.tif 000010
【図５】
2004355595.tif 000011
【図６】
2004355595.tif 000012
【手続補正書】
【提出日】平成15年6月25日(2003.6.25)
【手続補正１】
【補正対象書類名】明細書
【補正対象項目名】特許請求の範囲
【補正方法】変更
【補正の内容】
【特許請求の範囲】
【請求項１】
ロープの中に電線の入ったセンサー部分と、その電線に電流を流し、インピーダンスの変化を常時、計測し、ロープの異状を出力する機能をもつ装置からできていて、ロープ全体を防犯対策のセンサーとして使用するという特徴をもつものである。
【請求項２】
ロープの中に電線の入ったセンサー部分と、その電線に変化する電流を流し、インピーダンスの変化を常時、計測し、ロープの異状を出力する機能をもつ装置からできていて、ロープ全体を防犯対策のセンサーとして使用するという特徴をもつものである。
【請求項３】
ロープ状のセンサーを網状にして、その網状センサーにより、防犯対象物を完全に覆うことができ、そのネットの異状を出力する装置をその網状センサーの内側に外部から影響を受けないで設置しておくことを可能にした防犯器具であり、容易に移動して使用することができ、さらに、拡張が可能であることで、防犯対策を必要とするものの形や大きさに影響されないという特徴をもつものである。
【請求項４】
防犯装置のロープ状センサーを網状とすることで、ネット状のフェンスとしての機能も併せもつという特徴をもつものである。
【手続補正２】
【補正対象書類名】明細書
【補正対象項目名】０００２
【補正方法】変更
【補正の内容】
【０００２】
【従来の技術】
従来の防犯器具には、侵入の状況を音や振動など一部の情報で異状を判定するタイプのものがある。これらでは、防犯対象物への侵入に対し、完全に防犯することができなかった。また、線状のセンサーを使用するものでも、完全に防犯対象物を覆うことはできなかった。


【手続補正３】
【補正対象書類名】明細書
【補正対象項目名】０００３
【補正方法】変更
【補正の内容】
【０００３】
このような理由で、外部で使用する器具は防犯対象物の形状や大きさによっては、完全な侵入対策は困難であった。


【手続補正４】
【補正対象書類名】明細書
【補正対象項目名】０００４
【補正方法】変更
【補正の内容】
【０００４】
さらに、一部の情報により警報を発するものは、その構造のため、形状的なデザインについての要求には応えられなかった。


【手続補正５】
【補正対象書類名】明細書
【補正対象項目名】０００６
【補正方法】変更
【補正の内容】
【０００６】
【課題を解決するための手段】
本発明は、侵入センサーを網状にし、防犯対象物を完全に覆うことで、そのセンサーを破壊しなければ侵入できないという構造とすることで、侵入に対して確実に警報を発するようにしたものである。この網状形状により移動して容易に設置することができ、さらに、デザインを自由に設計することが可能になるという特徴がある。


【手続補正６】
【補正対象書類名】明細書
【補正対象項目名】０００７
【補正方法】変更
【補正の内容】
【０００７】
【発明実施の形態】
センサーを網状にして、防犯対象物を完全に覆うことを可能にしたことで、侵入に対して確実に反応するようにした。また、網状化する事で軽量化でき、移動して設置することを容易にした。さらに、デザインも自由な設計ができることで軽量化した。外部へは、携帯電話または電話などの通報器具でセンサー反応時の警報の送信を可能にした。